(57)【要約】【課題】  容易に所望の静止画像を指示することが出来る。【解決手段】  本実施の形態のデジタルカメラ１０によれば、動画像の再生中に静止画像の記録指示がなされると、この静止画像の記録指示入力時にＬＣＤ３４に表示された動画像を含む前後所定範囲内の動画像の動画像データから静止画像データを作成し、記録メディアに記録する。【選択図】  図２
2005080060.tif 000002
【特許請求の範囲】
【請求項１】
動画像データの動画像を再生する再生手段と、
前記再生手段への動画像再生中に、静止画像として記憶すべき前記動画像データの位置を指示する指示手段と、
前記指示手段により指示された前記動画像データの位置を基準として予め定めた所定時間について、前記動画像データから静止画像データを作成する作成手段と、
前記作成手段によって作成された静止画像データを記憶する記憶手段と、
を備えた画像再生装置。
【請求項２】
前記作成手段は、前記指示手段により前記動画像再生中に継続指示された場合に、継続指示された指示時間の範囲を前記動画像データの位置の基準とすることを特徴とする請求項１に記載の画像再生装置。
【請求項３】
前記動画像データは、フレーム画像の画像データと前記フレーム画像の差分からなる差分データから構成されることを特徴とする請求項１または請求項２に記載の画像再生装置。
【請求項４】
前記指示手段は、前記動画像データにおける静止画像データの作成間隔を指示する間隔指示手段を含み、前記作成手段は、前記動画像データから前記間隔指示手段により指示された間隔による静止画像データを作成することを特徴とする請求項１乃至請求項３の何れか１項に記載の画像再生装置。
【請求項５】
動画像データの動画像を再生する再生手段と、
前記再生手段への動画像再生中に、静止画像として記憶すべき前記動画像データの位置を指示する指示手段と、
前記指示手段により指示された前記動画像データの位置を示す位置データと、前記動画像データを識別可能な識別データとを関連付けて格納する格納手段と、
を備えた画像再生装置。
【請求項６】
動画像データの動画像を再生する画像再生方法であって、
動画像再生中に、静止画像として記憶すべき前記動画像データの位置を指示し、
指示された前記動画像データの位置を基準として予め定めた所定時間について、前記動画像データから静止画像データを作成し、
作成された静止画像データを記憶する、
ことを特徴とする画像再生方法。
【発明の詳細な説明】
【技術分野】
【０００１】
本発明は、画像再生装置及び画像再生方法に係り、特に、動画像を再生する画像再生装置及び画像再生方法に関する。
【背景技術】
【０００２】
従来より、撮影によって動画像データを得るとともに、得られた動画像データの動画像を再生する画像再生装置が知られている。このような画像再生装置において動画撮影中に任意の静止画像の静止画像データを得る技術が知られている（例えば、特許文献１参照）。上記技術によれば、動画撮影を行う撮像記録装置において、動画像撮影により動画像データを記録媒体に記憶するとともに、動画撮影中に焦点及び絞りが所定の状態となると、該状態下の撮影により取得された画像データを静止画像データとして上記記録媒体とは異なる記録媒体に記憶する。この技術によれば、動画撮影中に、高品位な静止画を容易に得ることができる。
【０００３】
上記撮像記録装置では、動画像の再生時に、再生された動画像から任意の静止画を得ることが望ましい。このような技術としては、表示画面への動画再生中に、静止画記録を指示するレリーズスイッチが押圧されると、表示画面へ表示されている画像の画像データがメモリカードに記録されるものが知られている（例えば、特許文献２参照）。
【特許文献１】特開平１１−１８７３５０号公報（第４頁―５頁、第１図）
【特許文献２】特開２００２―１６５１７４（第４頁、第３図）
【発明の開示】
【発明が解決しようとする課題】
【０００４】
しかしながら、動画像を再生しながら静止画記録を指示することでは、ユーザによる静止画記録の指示入力のタイミングと、所望する静止画の表示タイミングがずれる恐れがあり、意図しない画像データが記録される恐れがあった。
【０００５】
本発明は上記事実を考慮したものであり、動画像を再生する画像再生装置において、容易に所望の静止画像を指示することが出来る画像再生装置及び画像再生方法を提供することを目的とする。
【課題を解決するための手段】
【０００６】
上記目的を達成するために本発明の画像再生装置は、動画像データの動画像を再生する再生手段と、前記再生手段への動画像再生中に、静止画像として記憶すべき前記動画像データの位置を指示する指示手段と、前記指示手段により指示された前記動画像データの位置を基準として予め定めた所定時間について、前記動画像データから静止画像データを作成する作成手段と、前記作成手段によって作成された静止画像データを記憶する記憶手段と、を備えている。
【０００７】
本発明の画像再生装置は、再生手段を備えており、動画像データの動画像を再生する。指示手段は、再生手段への動画像再生中に、静止画像として記憶すべき動画像データの位置を指示するためのものである。指示された位置は、再生中の動画像の動画像データの位置である。作成手段は、指示された動画像データの位置を基準とし、例えば、該基準位置前後の、予め定めた所定時間について、動画像データから静止画像データを作成する。このため、指示された位置の動画像データを含むとともに、指示された位置付近の所定時間内について静止画像データが作成される。作成手段によって作成された静止画像データは、記憶手段へ記憶される。
【０００８】
このように、動画像再生中に、静止画像として記憶すべき動画像データの位置が指示されると、指示された動画像データの位置を基準とした所定時間について動画像データから静止画像データを作成し、記憶することができる。このため、指示位置付近のユーザの意図する位置の静止画像を含む所定時間内の静止画像データを作成し記憶することができる。
【０００９】
前記作成手段は、前記指示手段により前記動画像再生中に継続指示された場合に、継続指示された指示時間の範囲を前記動画像データの位置の基準とすることができる。
【００１０】
再生手段への動画像再生中に、指示手段による動画像データの位置の指示が継続してなされると、その継続指示中は、ユーザが意図する所望の静止画たる動画像の位置（時刻）である確度が高い。そこで、指示手段によって継続指示された指示時間の範囲を上述の動画像データの位置に対応させて基準とすれば、作成手段は、継続指示された指示時間の範囲を基準とした所定時間について、動画像データから静止画像データを作成することができる。このため、ユーザ所望の静止画像を含む確度がより高い静止画像データを得ることができる。
【００１１】
前記動画像データは、フレーム画像の画像データと前記フレーム画像の差分からなる差分データから構成することができる。
【００１２】
再生手段へ再生する動画像データは、フレーム画像の画像データと、フレーム画像との差分から構成される差分データと、から構成することができる。差分データは、それのみではフレーム画像（静止画像）にはなり得ず、原データが必要となる。また、差分データは、原データから一定時間までの差分であることから、原データによる元のフレーム画像に対して一定時間までにおける原データからの差分による、フレーム画像が作成できる。これにより、動画像データは、多数の静止画像データから構成したものより容量を小さくできる。
【００１３】
前記指示手段は、前記動画像データにおける静止画像データの作成間隔を指示する間隔指示手段を含み、前記作成手段は、前記動画像データから前記間隔指示手段により指示された間隔による静止画像データを作成することができる。
【００１４】
間隔指示手段により、静止画像データの作成間隔を指示することで、作成手段では、該作成間隔の静止画像データのみを作成することができる。従って、動画像データから静止画像データにあたっての作成数や時間間隔を自在に設定でき、効率良く静止画像データを作成することができる。
【００１５】
他の発明の画像再生装置は、動画像データの動画像を再生する再生手段と、前記再生手段への動画像再生中に、静止画像として記憶すべき前記動画像データの位置を指示する指示手段と、前記指示手段により指示された前記動画像データの位置を示す位置データと、前記動画像データを識別可能な識別データとを関連付けて格納する格納手段と、を備えている。
【００１６】
他の発明の画像再生装置は、再生手段へ動画像データの動画像を再生する。指示手段によって静止画像として記憶すべき動画像データの位置が指示されると、指示手段によって指示された動画像データの位置を示す位置データは、該動画像データを識別可能な識別データと関連付けて格納手段へ格納される。
【００１７】
従って、識別データによる動画像データについて、その位置を位置データにより特定でき、その位置における静止画像の作成にあたって有効な情報を提供できる。
【００１８】
なお、次の画像再生方法によって、ユーザの意図する位置の静止画像を含む所定時間内の静止画像データを作成し記憶することができる。詳細には、動画像データの動画像を再生する画像再生方法であって、動画像再生中に、静止画像として記憶すべき前記動画像データの位置を指示し、指示された前記動画像データの位置を基準として予め定めた所定時間について、前記動画像データから静止画像データを作成し、作成された静止画像データを記憶する、ことを特徴とする。
【発明の効果】
【００１９】
以上説明したように、本発明の画像再生装置及び画像再生方法によれば、動画像再生中に、静止画像として記憶すべき動画像データの位置を指示することができるとともに、指示された動画像データの位置を基準とする所定時間について、動画像データから静止画像データを作成することができるので、容易にユーザの意図する位置の静止画像を含む所定時間内の静止画像データ作成し記憶することが出来る、という効果を有する。
【発明を実施するための最良の形態】
【００２０】
［第１の実施の形態］
本発明の画像再生装置に係るデジタルカメラ１０の一の実施の形態を図面に基づいて説明する。
【００２１】
図１（Ａ）に示すように、デジタルカメラ１０の筐体１２の正面側には、レンズ１４、及び撮影範囲等を目視で確認するためのファインダ１６が設けられている。また、筐体１２の側面には、スマートメディア等の記録メディア２０を装填可能なスロット２２が設けられている。筐体１２の上面には、電源スイッチ２６、モードダイヤル２４及びレリーズスイッチ２８が設けられている。レリーズスイッチ２８は、撮像を実行するときにユーザによって押圧操作されるものである。また、レリーズスイッチ２８は、後述する画像を表示するためのＬＣＤに表示された動画像からユーザの所望の静止画像を記録するときにユーザによって押圧操作されるものである。電源スイッチ２６は、ユーザがデジタルカメラ１０の各部への電力の供給または供給停止の切り換えを行うときに操作するためのものである。モードダイヤル２４は、撮影によって動画像の動画像データを得る動画撮影モード、撮影によって得られた動画像を後述するＬＣＤ３４に表示する動画再生モード、及び再生された動画像から静止画像の静止画像データを作成する静止画像の作成範囲の選択を受け付ける作成範囲設定モード等の中から、ユーザ所望の処理を選択するためのものである。
【００２２】
また、図１（Ｂ）に示すように、筐体１２の背面には、ＬＣＤ３４が設けられている。ＬＣＤ３４の近傍には、メニューボタン３８、上下矢印キー４０、及び実行ボタン４２等の各種選択ボタンが設けられている。なお、メニューボタン３８、上下矢印キー４０、実行ボタン４２、電源スイッチ２６、モードダイヤル２４及びレリーズスイッチ２８は、本実施の形態では、スイッチ３６として機能する構成を採用する。メニューボタン３８は、ユーザがＬＣＤ３４へ各種メニュー項目を表示するときに操作するためのものである。上下矢印キー４０は、ユーザがＬＣＤ３４に表示された各種メニューから任意のメニュー項目を選択する際に操作するためのものである。実行ボタン４２は、ユーザが各項目の実行開始を指示するときに操作するためのものである。
【００２３】
図２には、本実施の形態に係るデジタルカメラ１０の主要構成をブロック図として示した。
【００２４】
デジタルカメラ１０は、ＣＣＤ（Charge Coupled Device）５０を備えている。ＣＣＤ５０は、レンズ１４により得られる被写体からの反射光を撮影画像を示すアナログ画像データ（以下、画像データという）に変換して出力するためのものである。また、デジタルカメラ１０は、ＣＤＳ（Correlated Double Sampling）５２、アナログ／デジタル変換器（以下、Ａ／Ｄ変換器という）５４、及び信号処理部５６を備えている。これらのＣＣＤ５０、ＣＤＳ５２、Ａ／Ｄ変換器５４、及び信号処理部５６は、バス５１に接続されており、互いにデータやコマンドの授受が可能な構成となっている。
【００２５】
ＣＤＳ５２は、ＣＣＤ５０から出力された被写体像を示す出力信号を相関二重サンプリング処理すると共に、Ｒ、Ｇ、Ｂの各色信号に色分解処理して、各色信号の信号レベルの調整を行うためのものである。Ａ／Ｄ変換器５４は、ＣＤＳ５２により処理されたアナログ信号をデジタル信号に変換し信号処理部５６へ出力するためのものである。ＣＣＤ５０から出力された被写体像を示すアナログ画像信号は、ＣＤＳ５２による処理が施され、Ａ／Ｄ変換器５４によりデジタル画像信号に変換された後、画像データとして信号処理部５６に入力される。
【００２６】
また、バス５１には、制御部６０が接続されている。制御部６０は、デジタルカメラ１０の全体的な動作を司るためのものであって、図示を省略したＣＰＵ、ＥＥＲＯＭ、及びＲＡＭからなるマイクロコンピュータを含んで構成される。
【００２７】
また、バス５１には、記憶部６２、Ｉ／Ｏ６４、及び作成部７０が接続されている。記憶部６２は、主に、撮影によって得られた静止画像データ、動画像データを含む各種データや後述する処理ルーチン等を記憶するためのものである。なお、本実施の形態では、デジタルカメラ１０は、撮影によって動画像データを得るものとして説明する。
【００２８】
Ｉ／Ｏ６４には、スイッチ３６が接続されている。スイッチ３６は、各種指示入力を行うためのものである。また、バス５１には、メディア制御部６６及び表示制御部６８が接続されている。上記制御部６０、信号処理部５６、メディア制御部６６、Ｉ／Ｏ６４、記憶部６２、及び表示制御部６８は、バス５１を介して互いにデータやコマンドの授受が可能な構成となっている。
【００２９】
信号処理部５６は、Ａ／Ｄ変換器５４から入力された画像データに対して所定のデジタル信号処理を行うものであって、ゲイン調整回路、ガンマ補正回路、及び輝度・色差信号処理回路（ＹＣ処理回路という）を含んで構成される。Ａ／Ｄ変換器５４から入力された画像データは、ゲイン調整回路で増幅処理された後、図示を省略したガンマ補正回路においてガンマ補正処理が施され、図示を省略したＹＣ処理回路において輝度（Ｙ信号）及び色差信号（Ｃｒ、Ｃｂ信号）に変換される所定のデジタル信号処理が行われて記憶部６２に格納される。
【００３０】
メディア制御部６６は、記録メディア２０に対して動画像データを含む各種データを読み書きするためのものである。記録メディア２０は、スロット２２に装填されることによってメディア制御部６６に接続され、データの授受が可能となる。記憶部６２に格納された動画像データは、圧縮伸長部５７で所定の圧縮方式で圧縮された後、メディア制御部６６を介して、記録メディア２０に記録される。
【００３１】
なお、本実施の形態では、動画像圧縮の標準的な符号化方式としてＭＰＥＧ（Ｍｏｖｉｎｇ  Ｐｉｃｔｕｒｅ  Ｅｘｐｅｒｔｔｓ  Ｇｒｏｕｐ）を採用するものとして説明するが、このような圧縮方式に限られるものではない。
【００３２】
作成部７０は、記録メディア２０に記録された動画像データからユーザによって指示された位置を基準とした所定範囲の動画像データから静止画像データを作成するためのものである。この静止画像データを作成する位置は、詳細を後述するＬＣＤ３４への動画像再生処理中にレリーズスイッチ２８が押圧操作されることによって指示入力される。作成部７０によって静止画像の静止画像データとして作成された静止画像データは、記録メディア２０に記録される。
【００３３】
表示制御部６８は、記録メディア２０に記録された動画像データの動画像、各種メニュー項目等をＬＣＤ３４に表示するためのものである。
【００３４】
なお、本実施の形態では、撮影によって得られた動画像データは、記憶部６２に記憶された後に記録メディア２０に記憶されるものとして説明するが、図示を省略したＲＡＭに一時的に格納した後に、記録メディア２０に記憶するようにしてもよい。
【００３５】
なお、上記ＬＣＤ５４は、本発明の画像再生装置の再生手段に相当し、レリーズスイッチ２８は、指示手段及び間隔指示手段に相当し、作成部７０は、作成手段に相当し、記録メディア２０は記憶手段及び格納手段に相当する。
【００３６】
次に、上記実施の形態に係るデジタルカメラ１０の作用を説明する。
【００３７】
図３には、制御部６０で実行される処理ルーチンを示した。デジタルカメラ１０では、所定時間毎に図３に示す処理ルーチンが実行されて、ステップ１００へ進む。
【００３８】
ステップ１００では、モード状態把握処理が実行される。モード状態の把握は、記憶部６２に記憶されたモードダイヤル２４の状態を表すデータを読取ることによって可能である。モードダイヤル２４の状態としては、ユーザによるモードダイヤル２４の指示による動画撮影モードが選択された状態、動画再生モードが選択された状態、及び作成範囲設定モードが選択された状態がある。これらの状態を表すデータは、電源が投入された後に、モードダイヤル２４が操作されることによって入力される。入力されたデータは、モードダイヤル２４の状態を表すデータとして記憶部６２に記憶される。この記憶部６２に記憶されたモードダイヤル２４の状態を表すデータを確認することによって、モードダイヤル２４の状態を確認することができる。
【００３９】
次にステップ１０２では、動画撮影モードであるか否かを判断する。ステップ１０２の判断は、記憶部６２に記憶されたモードダイヤル２４の状態を表すデータが、動画撮影モードを表すデータであるか否かを判別することによって判断可能である。
【００４０】
ステップ１０２で肯定されるとステップ１０４へ進み、動画撮影指示がなされるまで否定判断を繰り返し、肯定されるとステップ１０６へ進む。ステップ１０４の判断は、レリーズスイッチ２８による入力信号を判別することによって判断することができる。なお、ステップ１０４で否定された場合、本ルーチンを終了するようにしてもよい。
【００４１】
次にステップ１０６では、動画撮影処理が実行される。ステップ１０６の処理は、被写体を撮影するときにおけるＣＣＤ５０で各種調整を行って、連続的に撮影画像を得るものである。例えば、一秒間に１０フレーム分の被写体像が得られるシャッタスピード、絞り値等が設定され、連続する画像データを記憶部６２に設けられた図示を省略した複数のバッファに順次保持した後に、これらの画像データを圧縮伸長部５７において動画圧縮の標準的な圧縮方式であるＭＰＥＧ方式に圧縮する。
【００４２】
次にステップ１０８において、上記ステップ１０６の動画撮影処理によって得られた動画像データを記録メディア２０に順次記録した後に、本ルーチンを終了する。すなわち、一回の動画像撮影によって１つのＭＰＥＧファイルが記録メディア２０に記録される。
【００４３】
一方、上記ステップ１０２で否定されると、ステップ１２４へ進み、作成範囲設定モードが選択されているか否かを判断する。ステップ１２４の判断は、記憶部６２に記憶されたモード状態を示すデータが、作成範囲設定指示を示すデータであることを判別することによって可能である。
【００４４】
ステップ１２４で肯定されると、ステップ１２５へ進み、作成範囲の入力がなされるまで否定判断を繰り返し、肯定されるとステップ１２６へ進む。作成範囲は、動画撮影処理によって記録メディア２０に記録された動画像データから、静止画像の静止画像データを作成する作成範囲を示すものである。本実施の形態では、後述する動画再生処理において動画像をＬＣＤ２４に一定の速度で再生するものとし、この動画像再生時にＬＣＤ２４に表示された動画像から、作成範囲として、ユーザによる静止画像記録指示入力を基点とした前後の再生時間を静止画像データを作成する範囲として設定するものとする。このため、例えば、作成範囲として、１秒や２秒等の再生時間が設定される。
【００４５】
なお、本実施の形態では、取込条件として、静止画像記録指示入力を基点とした前後の再生時間を静止画像データを作成する作成範囲として設定するものとして説明するが、このような形態に限られるものではなく、フレーム数やデータ容量等を設定するようにしてもよい。
【００４６】
ステップ１２５の判断は、ユーザによる上下矢印キー４０の操作によって出力される信号受信によって判別することができる。例えば、ＬＣＤ３４に静止画像の静止画像データの作成範囲の設定を促す項目を表示して、ユーザに対して作成範囲の入力を促す。そして、上下矢印キー４０の操作によって、作成範囲を示す信号が入力された後に、実行ボタン４２が押圧操作されると、作成範囲を示す作成範囲情報が出力されるようにすればよい。なお、例えば、上下矢印キー４０は、上下矢印部分または左右矢印部分の押圧操作によって、異なる作成範囲を示す値がＬＣＤ３４に表示され、更に実行ボタン４２が押圧操作されることによって、ＬＣＤ３４に表示された作成範囲を示す値に応じた作成範囲情報が入力される。
【００４７】
次のステップ１２６において、上記ステップ１２５で入力された静止画像データの作成範囲を示す作成範囲情報を記憶部６２に記憶するメモリ処理が実行された後に、本ルーチンを終了する。
【００４８】
なお、静止画像データの作成範囲情報には、所定のデータが初期値として予め設定されるものとしてもよい。更に、上記ステップ１２４乃至ステップ１２６の処理によってこの初期値が更新されるようにしてもよい。
【００４９】
一方、上記ステップ１２４で否定されるとステップ１１０へ進み、動画再生モードか否かを判断する。ステップ１１０の判断は、記憶部６２に記憶されたモードダイヤル２４の状態を表すデータが、動画再生モードを表すデータであるか否かを判別することによって判断可能である。
【００５０】
ステップ１１０で否定されると、本ルーチンを終了し、肯定されるとステップ１１２へ進む。ステップ１１２では、動画再生指示がなされるまで否定判断を繰り返し、肯定されるとステップ１１４へ進む。ステップ１１２の判断は、レリーズスイッチ２８の押圧操作による信号入力を判別することによって判断可能である。
【００５１】
次にステップ１１４では、再生処理が実行される。ステップ１１４の処理は、記録メディア２０に記録された動画像データを圧縮伸長部５７でＭＰＥＧ伸長し、この伸長した画像を順次図示を省略したバッファに書込みながらＬＣＤ３４へ表示することによって、動画像をＬＣＤ３４に表示するものである。
【００５２】
次にステップ１１６では、静止画記録指示がなされるまで否定判断を繰り返し、肯定されるとステップ１１７へ進む。ステップ１１６の判断は、レリーズスイッチ２８の押圧操作による静止画記録指示信号の入力を判別することによって可能である。なお、本実施の形態では、静止画像記録指示信号は、上述のように、ＬＣＤ３４への動画像再生処理中にレリーズスイッチ２８が押圧操作されることにより、入力される場合を説明するが、静止画像記録指示信号を行うためのスイッチを別途筐体１２に備え、該スイッチのユーザによる押圧操作により入力されるようにしてもよい。
【００５３】
ステップ１１７では、記録位置情報メモリ処理が実行される。ステップ１１７の処理は、上記ステップ１１６で静止画記録指示信号が入力されたときに、ＬＣＤ３４へ表示中の動画像の、上記ステップ１０８で記録メディア２０に記録された動画像データにおける位置を特定可能な記録位置情報を、記憶部６２に記憶するものである。
【００５４】
次にステップ１２０では、記録メディア２０に記録する対象となる静止画像データの作成範囲及び記録位置に相当する動画像データの把握処理が実行される。ステップ１２０の処理は、記憶部６２に記憶された静止画像データの作成範囲情報と、記録位置情報とに基づいて実行される。詳細には、本実施の形態では、記録メディア２０に記録された動画像データから、上記記録位置情報を基準とし、この基準となる記録位置を含み、且つ前後に上記作成範囲情報に応じた範囲内の動画像データを把握する。
【００５５】
なお、本実施の形態では、記録位置情報を基準として、前後、設定された作成範囲内の動画像データを把握する場合を説明するが、記録位置情報を基準として前、または後の作成範囲に相当する動画像データを把握するようにしてもよい。
【００５６】
次にステップ１２２では、前記ステップ１２０で把握した動画像データから静止画像データを作成する静止画像の静止画像データ作成処理が実行される。次にステップ１２４において、上記ステップ１２２で作成された静止画像の静止画像データを記録メディア２０へ記録した後に、本ルーチンを終了する。
【００５７】
以上説明したように、本実施の形態のデジタルカメラ１０によれば、動画像の再生中に静止画像の記録指示がなされると、この静止画像の記録指示入力時にＬＣＤ３４に表示された動画像を含む前後所定範囲内の動画像の動画像データから静止画像データを作成し、記録メディアに記録することができる。従って、指示入力されたときに表示中の動画像を含む前後の動画像から静止画像の静止画像データを得ることができるので、ユーザ所望の静止画像データを確実に含む静止画像の静止画像データを得ることができる。
【００５８】
また、作成した静止画像データを記録メディアに記録することができるので、動画像データから作成した静止画像データを、別途デジタルカメラ以外のその他の装置等で画像処理可能に提供することができる。
【００５９】
なお、本実施の形態では、画像再生装置としてデジタルカメラ１０を用いる場合を説明したが、画像再生装置は、デジタルカメラに限られるものではなく、動画像データを再生する機能を備えたビデオカメラ、ビデオデッキ及びモニタ、等の再生機能を有する各種装置に適用可能である。
【００６０】
また、本実施の形態では、動画像データを撮影によって得た後に、該動画像データを再生する場合を説明したが、再生する動画像データは、該デジタルカメラによって取得されたものに限られるものではない。例えば、他のビデオカメラやデジタルカメラ等の動画像を取得するための装置によって得られた動画像データを記録メディア２０に記録するようにし、該記録メディア２０をデジタルカメラ１０へ装着することによって再生するようにしてもよい。
【００６１】
なお、本実施の形態では、動画像データとしてＭＰＥＧ方式で圧縮されたものを採用する場合を説明したが、動画像データはＭＥＰＧに限られるものではなく、例えば、モーションＪＰＥＧやＡＶＩ等であってもよい。
【００６２】
なお、本実施の形態では、動画再生処理前に、上記ステップ１２４乃至ステップ１２６の処理によって、静止画像の静止画像データ作成範囲を示す作成範囲情報を記憶部６２に記憶し、動画再生処理中に静止画記録指示がなされると、指示信号の入力の判別時から上記作成範囲内の動画像データを静止画像データとして記録メディア２０へ記録する場合を説明した。しかし、この静止画像データの作成範囲の入力は、ＬＣＤ３４への動画像再生中における、上記静止画像記録指示信号の継続した入力を判別することによって、行うようにしてもよい。この場合、上記ステップ１１６の判断の後に、レリーズスイッチ２８の継続した押圧操作による静止画記録指示信号の継続入力時間を測定するようにすればよい。更にこの測定された継続入力時間を、静止画像データの作成範囲情報として記憶部６２に記憶した後に上記ステップ１２０へ進むようにすればよい。
【００６３】
なお、この継続入力時間は、上記ステップ１１６のレリーズスイッチ２８の押圧操作によって静止画記録指示信号が入力されると、ステップ１１６の処理の後に制御部６０の図示を省略したＣＰＵに内蔵されたタイマにより計測を開始し、静止画記録指示信号の入力が遮断されるまで継続して計測するようにすればよい。
【００６４】
また、この場合、上記ステップ１２４乃至ステップ１２６の取込条件設定処理は省略することができる。
【００６５】
このようにすれば、静止画像の作成範囲を、動画再生中のレリーズスイッチ２８の継続的な押圧指示のユーザによる調整によって、容易に変更可能に提供することができる。
【００６６】
［第２の実施の形態］
上記実施の形態では、静止画記録指示を示す信号が入力されると、該信号が入力された動画像データ中の位置を基準として、前後作成範囲内の動画像データから静止画像データを作成する場合を説明した。本実施の形態では、上記作成範囲内の動画像データから、さらに、特定の条件に合致する位置による静止画像データを作成する場合を説明する。
【００６７】
ここで、本実施の形態では、第１の実施の形態と同様に、動画像撮影処理によって得られて記録メディア２０に記憶される動画像データは、ＭＰＥＧ方式により圧縮されたものとして説明する。このＭＰＥＧ画像は、例えば、図５に示すように、シーケンスヘッダとシーケンスエンドの間にいくつかの画面グループ（ＧＯＰ（Ｇｒｏｕｐ  Ｏｆ  Ｐｉｃｔｕｒｅｓ））を持つ画面群構造となっている。このＧＯＰは、ＧＯＰヘッダの後に複数のピクチャフレーム（符号化された画面データ）を有する構成となっている。ピクチャフレームのタイプには、Ｉピクチャ９０、Ｐピクチャ９２、Ｂピクチャ９４の３種類がある。すなわち、ＭＰＥＧでは、この３つのタイプが既定されている。Ｉピクチャ９０は、画像フレームに含まれる画面情報の全てをイントラ符号化した画像データであり、Ｐピクチャ９２は、直前のＩピクチャ９０またはＰピクチャ９２を参照して差分をとるとともに圧縮した画像データであり、Ｂピクチャ９４は、前後のＩピクチャ９０またはＰピクチャ９２から双方向予測される画像データである。
【００６８】
なお、図５には、ＧＯＰ内のピクチャ数Ｎが１５であり、Ｉピクチャ９０またはＰピクチャ９２の表われる周期が３である場合を示したが、ＧＯＰの最初の画像がＩピクチャ９０であるとともに、原画像の並び順でＧＯＰの最後がＩピクチャ９０またはＰピクチャ９２であれば、上記値に限られるものではない。
【００６９】
本実施の形態では、特定の条件として、上記ＭＰＥＧのＩピクチャ、Ｐピクチャ、またはＢピクチャを設定する。これによって、取込条件範囲内の動画像から指定されたピクチャタイプの画像が静止画像として作成する対象として指定される。
【００７０】
なお、本実施の形態のデジタルカメラは、第１の実施の形態のデジタルカメラ１０（図１参照）と同様の構成のため、同一部分には同一符号を付与して詳細な説明を省略する。また、本実施の形態では、スイッチ３６として機能する複数のスイッチの内のモードダイヤル２４は、上記実施の形態に示した動画撮影モード、動画再生モード、及び作成範囲設定モード、に加えて、更に特定条件設定モードを備えるものとして説明する。
【００７１】
なお、本実施の形態では、これらのモード選択は、モードダイヤル２４により選択される場合を説明するが、各指示モード毎に異なるスイッチやボタン等の機構を設けるようにしてもよい。
【００７２】
次に本実施の形態の作用を説明する。
【００７３】
デジタルカメラの動作の一例は、図３に示したフローチャートと略同様のものである。上記異なる点は、ステップ１１６乃至ステップ１２４の作成範囲内の動画像データからの静止画像データの作成処理において、第１の実施の形態では、作成範囲内に相当する動画像データの全てを対象として静止画像データを作成した。本実施の形態では、作成範囲内に相当する動画像データから、更にユーザにより指定された特定の条件に相当する画像データのみを静止画像データとして作成する点である。
【００７４】
図４に示すように、本実施の形態のデジタルカメラでは、所定時間毎に第１の実施の形態と同様に、ステップ１００乃至ステップ１０８の処理が実行され、動画撮影指示がなされると、ＭＰＥＧ方式で圧縮された動画像データが記録メディア２０へ記録される。また、同様に、ステップ１０２で否定されると、ステップ１２４乃至ステップ１２６の処理が実行されて、静止画像の静止画像データ作成範囲を示す作成範囲情報が記憶部６２へ記憶される。
【００７５】
一方、ステップ１２４で否定されると、ステップ２００へ進み、静止画像として記録する対象となる特定条件設定指示がなされたか否かを判別する。ステップ２００の判断は、記憶部６２に特定条件設定モードを示すデータが記憶されているか否かを判別することによって可能である。例えば、ユーザによるモードダイヤル２４の操作によって特定条件設定モードが選択されると、記憶部６２にモードダイヤル２４の選択状態が特定条件設定モードが指示された状態にあることを示すデータが記憶されるようにすればよい。
【００７６】
上記ステップ２００で肯定されるとステップ２０２へ進み、特定条件入力がなされるまで否定判断を繰り返し、肯定されるとステップ２０４へ進む。ステップ２０２の判断は、ユーザによる上下矢印キー４０の操作によって出力される信号入力によって判別することができる。例えば、ＬＣＤ３４に特定条件を設定するための項目として、Ｉピクチャ、ＰピクチャまたはＢピクチャを選択するための項目一覧を表示する。そして、上下矢印キー４０の操作によって、上記Ｉピクチャ、Ｐピクチャ及びＢピクチャの内の何れか１つが選択された後に、実行ボタン４２が押圧操作されると、選択されたピクチャの種類を示す信号が出力されるようにすればよい。
【００７７】
ステップ２０４では、上記ステップ２０２で入力されたピクチャの種類を示すデータを記憶部６２に記憶した後に、本ルーチンを終了する。
【００７８】
一方上記ステップ２００で否定されると、ステップ１１０へ進み、第１の実施の形態と同様に、ステップ１１０乃至ステップ１２０の処理が行われて、静止画像記録指示が実行されると、静止画像の記録位置情報が記憶部６２に記憶される。更に、この記憶部６２に記憶された記録位置情報と静止画像データの作成範囲情報とに基づいて、記録メディア２０に記録する対象となる静止画像データの作成範囲及び記録位置に相当する動画像データの把握処理が実行される。
【００７９】
次にステップ２０８では、上記ステップ１２０で把握した動画像データから、更に特定条件に合致する静止画像データの作成処理が実行される。ステップ２０８の処理は、上記ステップ１２０で把握した動画像データから、記憶部６２に記憶されたピクチャの種類を示すデータに応じた画像データを把握し、把握した画像データから静止画像データを作成するものである。ステップ２０８の処理によって、指示されたＩピクチャ、Ｂピクチャ、またはＰピクチャの画像データから静止画像データが作成される。作成された静止画像データは、次のステップ２１０において記録メディア２０に記録される。
【００８０】
なお、本実施の形態は、特定条件としてＩピクチャ、Ｐピクチャ、またはＢピクチャを設定する場合を説明したが、このような形態に限られるものではない。例えば、複数の画像フレームからなる動画像データを取り扱う場合、静止画像として記憶する画像フレームの取込間隔を示すフレーム数の設定であってもよい。また、動画像データの取込間隔を示す時間やデータ容量等の設定であってもよい。このようにすれば、動画像データから、ユーザの所望の間隔で、静止画像データを作成し、得ることができる。
【００８１】
以上説明したように、本実施の形態のデジタルカメラによれば、静止画像データの作成範囲内に相当する動画像データから、更に特定条件に合致する画像データを静止画像の静止画像データとして得ることができるので、更に詳細に静止画像データとして記録する画像を指示することが可能となる。また、メモリを有効利用することができる。
【００８２】
［第３の実施の形態］
上記実施の形態では、静止画記録指示を示すデータが入力されると、静止画像データの作成範囲内の動画像データから静止画像データを作成し、記録メディア２０へ記録する場合を説明した。本実施の形態では、静止画像データ作成範囲内の動画像データを特定可能な識別データのみを記録メディア２０に記録する場合を説明する。
【００８３】
なお、本実施の形態のデジタルカメラは、上記第１の実施の形態と略同様の構成のため、同一部分には同一符号を付与して詳細な説明を省略する。また、本実施の形態のデジタルカメラは、第１の実施の形態のデジタルカメラ１０（図１参照）と同様の構成であるため、説明を省略する。
【００８４】
次に本実施の形態の作用を説明する。本実施の形態のデジタルカメラの動作の一例は、図３に示したフローチャートと略同様のものである。上記異なる主要な点は、ステップ１２４の静止画像データを記録メディア２０へ記録する処理において、静止画像データ作成範囲内の動画像データを特定可能な識別データのみを記録メディア２０へ格納する点である。
【００８５】
図６に示すように、本実施の形態のデジタルカメラでは、所定時間毎に第１の実施の形態と同様に、ステップ１００乃至ステップ１０８の処理が実行され、動画撮影指示がなされると、動画像データが記録メディアへ記録される。また、同様に、ステップ１０２で否定されると、ステップ１２４乃至ステップ１２６の処理が実行されて、静止画像データの作成範囲を示す作成範囲情報が記憶部６２へ記憶される。
【００８６】
上記ステップ１２４で否定されると、ステップ１１０へ進み、上述と同様にステップ１１０乃至ステップ１１７の処理が実行されて、静止画像の記録位置を示す記録位置情報が記憶部６２に記憶される。
【００８７】
次にステップ３００では、記憶部６２に記憶された、記録メディア２０に記録する対象となる静止画像データの作成範囲を示す作成範囲情報、及び記録位置情報を、元の（記録メディア２０に格納された静止画像データ作成元の動画像データ）動画像データを識別可能な識別情報と関連づけて記録メディア２０に記録する。
【００８８】
一方上記ステップ１１０で否定されると、ステップ３０３へ進み、記録画像選択指示がなされたか否かを判断する。記録画像選択指示は、上記ステップ３００の処理によって記録メディア２０に記憶された、動画像データを識別可能な識別データと、該動画像データにおける静止画像データの作成範囲情報と、記録位置情報とに応じて、静止画像の静止画像データを作成するとともに記録メディア２０へ記録するための指示を行うためのものである。ステップ３０３の判断は、記憶部６２に記録画像選択指示モードを示すデータが記憶されているか否かを判別することによって判断可能である。このデータは、例えばモードダイヤル２４の操作によって記憶部６２に記憶されるようにすればよい。
【００８９】
ステップ３０３で否定されると本ルーチンを終了し、肯定されると、ステップ３０４へ進み、記憶部６２に記憶された動画像データから、動画像データを識別可能な識別データと、該動画像データにおける静止画像データの作成範囲情報と、記録位置情報とに応じて、上記ステップ１２２と同様に静止画像データを作成する。詳細には、第１の実施の形態と同様に、記録位置を基準とした作成範囲内の動画像データから静止画像データを作成する。
【００９０】
次にステップ３０５では、上記ステップ３０５で作成した静止画像データの内の１つの静止画像データの静止画像をＬＣＤ３４に表示する。
【００９１】
次にステップ３０６では、所定時間内に記録指示がなされたか否かを判断する。ステップ３０６の判断は、実行ボタン４２による実行信号の入力によって判別可能である。例えば、ステップ３０４のＬＣＤ３４への静止画像表示中に、該静止画像の静止画像データを記録メディア２０へ記録をする場合には、実行ボタン４２を指示することを表すメッセージを表示して、実行ボタン４２による指示入力を促すようにすればよい。
【００９２】
ステップ３０６で肯定されるとステップ３０８へ進み、ＬＣＤ３４に表示中の静止画像の静止画像データを記録メディア２０へ記録し、ステップ３１０へ進む。また、ステップ３０６で否定された場合もステップ３１０へ進む。
【００９３】
ステップ３１０では、上記ステップ３０５でＬＣＤ３４に表示した以外のその他の静止画像の静止画像データが記憶部６２に記憶されているか否かを判断し、肯定されるとステップ３０４へ戻り、否定されると本ルーチンを終了する。
【００９４】
以上説明したように、本実施の形態のデジタルカメラによれば、動画像データを識別可能な識別データと、該動画像データにおける静止画像データの作成範囲情報と、記録位置情報とを関連付けて記録メディア２０に記録することができるので、記録メディア２０のメモリを有効に使用することができる。また、静止画像データを作成可能な情報を容易に提供することができる。
【００９５】
また、更に、記録メディア２０に格納された動画像データ、作成範囲情報、及び記録位置情報から、記録位置を基準とした作成範囲内の動画像データから静止画像データを作成し、更に記録指示がなされると、記録指示に応じた静止画像の静止画像データを記録メディア２０へ記憶することができるので、静止画像の静止画像データを効率よく記憶することができる。
【００９６】
なお、上記動画像データを識別可能な識別データと、該動画像データにおける静止画像データの作成範囲情報と、記録位置情報は、関連付けて記憶部６２に記憶するようにしてもよい。
【図面の簡単な説明】
【００９７】
【図１】本実施の形態に係るデジタルカメラの外観図の一例であり、（Ａ）は本発明の実施の形態に係るデジタルカメラの正面図であり、（Ｂ）は本発明の実施の形態に係るデジタルカメラの背面図である。
【図２】本実施の形態に係るデジタルカメラの主要構成を示すブロック図である。
【図３】第1の実施の形態に係るデジタルカメラにおける処理の流れを示すフローチャートである。
【図４】第２の実施の形態に係るデジタルカメラにおける処理の流れを示すフローチャートである。
【図５】ＭＰＥＧの構造を示す模式図である。
【図６】第３の実施の形態に係るデジタルカメラにおける処理の流れを示すフローチャートである。
【符号の説明】
【００９８】
１０  デジタルカメラ
２０  記録メディア
２８  レリーズスイッチ
４０  上下矢印キー
７０  作成部
【図１】
2005080060.tif 000003
【図２】
2005080060.tif 000004
【図３】
2005080060.tif 000005
【図４】
2005080060.tif 000006
【図５】
2005080060.tif 000007
【図６】
2005080060.tif 000008